(57)【要約】【課題】ＩＣタグから発信される電磁波を遮蔽して電子部品への悪影響を抑え、かつ、必要に応じてＩＣタグの情報を読み取れるようにする。【解決手段】ＩＣタグ３から発信される電磁波を遮蔽するシールドケース４を設ける。ＩＣタグ３を取付基板６に固定し、取付基板６をシールドケース４の窓部７にスライド自在に組み付ける。取付基板６を介してＩＣタグ３をシールドケース４内に密閉すると、取付基板６の蓋部８が窓部７を塞ぎ、ＩＣタグ３からの電磁波がシールドケース４で遮蔽される。窓部７から蓋部８を引き出すと、ＩＣタグ３に記憶した情報を読み取ることができる。【選択図】図１
2009140182.tif 000002
【特許請求の範囲】
【請求項１】
各種部品にそれぞれの個体情報などを記憶したＩＣタグを装着し、このＩＣタグに記憶された個体情報を読み取ることによって対象部品の流通管理を行うＩＣタグであって、このＩＣタグを収納する開閉可能なシールドケースを設け、ＩＣタグに記憶された情報を読み取る際に前記ＩＣタグを前記シールドケースの外側に露出させ、ＩＣタグの情報を読み取った後、シールドケースで前記ＩＣタグを覆って前記ＩＣタグから発信される電磁波を遮蔽するように構成したことを特徴とするシールド機能を備えたＩＣタグ。
【請求項２】
前記ＩＣタグを装着した取付基板を前記シールドケースにスライド自在に配置するとともに、前記シールドケースの少なくとも一部に前記取付基板を出し入れする窓部を設け、この窓部を開閉する蓋部を前記取付基板に設けたことを特徴とする請求項１記載のシールド機能を備えたＩＣタグ。
【請求項３】
前記取付基板とシールドケースの何れか一方に弾性変形可能な係止爪を、他方に前記係止爪と係脱可能な係止部を設けたことを特徴とする請求項２記載のシールド機能を備えたＩＣタグ。
【請求項４】
前記シールドケースから前記取付基板を引き出し、少なくともその取付基板に取り付けた前記ＩＣタグが前記シールドケースの外部に露出した状態で前記係止爪と係止部とを係合させて前記取付基板を位置決め保持するとともに、その係止爪と係止部との係合を解除して前記取付基板を前記シールドケースの内に収納した際、前記取付基板又はシールドケースの何れか一方に前記係止爪を弾性的に押接させることによって前記シールドケースに対して前記取付基板をロックしたことを特徴とする請求項３記載のシールド機能を備えたＩＣタグ。
【請求項５】
少なくとも前記シールドケースが、このシールドケースの取付面に沿って変形可能な可撓性材料によって形成されることを特徴とする請求項１〜４の何れか１項に記載のシールド機能を備えたＩＣタグ。
【請求項６】
前記シールドケースと前記取付基板とを付勢部材で連結し、前記シールドケースから引き出した前記取付基板を前記付勢部材で格納方向に付勢するように構成したことを特徴とする請求項２〜５の何れか１項に記載のシールド機能を備えたＩＣタグ。
【請求項７】
少なくとも前記シールドケースの一部に窓部を形成するとともに、この窓部を開閉する蓋部をヒンジ部を介して前記シールドケースに一体形成したことを特徴とする請求項１に記載のシールド機能を備えたＩＣタグ。
【請求項８】
少なくとも前記シールドケースの一部に窓部を形成し、この窓部を開閉する蓋部をシールドケースにスライド自在に設けたことを特徴とする請求項１に記載のシールド機能を備えたＩＣタグ。
【請求項９】
前記シールドケースが相互に接着及び剥離可能な一対のフィルム材によって構成されていることを特徴とする請求項１に記載のシールド機能を備えたＩＣタグ。
【発明の詳細な説明】
【技術分野】
【０００１】
本発明は、個体情報を記憶したＩＣタグを各種部品に装着し、部品の流通管理などに利用するＩＣタグ、特に、ＩＣタグから発信される電磁波による部品への悪影響を防止するシールド機能を備えたＩＣタグに関するものである。
【背景技術】
【０００２】
従来から、商品毎に識別子を付与し、その識別子を読み取ることで、商品管理や在庫管理などに利用する技術が知られており、このような識別子を用いて商品管理を行う方法として特許文献１が開示されている。この特許文献１には、製品出荷指示データに基づいて出荷指示書を自動的に作成するとともに、出荷対象となる製品に製品の品種、製品の仕様、等級、数量、ロット番号および製品梱包番号と共に製品梱包番号に対応するバーコードを付与したラベルを装着し、倉庫等から搬出された製品を最終輸送機関に積み込むに当って、携帯可能なデータ処理装置によりバーコードを読み込み、予め伝送されている製品梱包番号と一致するか否かを判別するように構成した製品出荷チェック方法およびその装置が開示されている。
【０００３】
また、近年では、特許文献１に示すバーコードに替わってＩＣタグ（ＲＦ（Ｒａｄｉｏ  Ｆｒｅｑｕｅｎｃｙ））ＩＤタグとも呼ばれる）が普及し始めており、センサ技術の進歩により、小型化、省電力化あるいは発電機構の備えたＩＣタグも開発され、ＩＣタグを用いた商品管理の本格的応用も広まりつつある。
【０００４】
このようなＩＣタグを用いた物流管理技術として特許文献２には、在庫の管理にＩＣタグを用い、物品の使用に伴い変化する該物品の残量をセンサによって検知し、そのセンサからに検知信号によって残量管理することによって、物品が使用可能な状態であるか否かを判断し、物品が使用不可と判断した場合、物品を発注して物品が使用可能な状態に保つための在庫管理を行う物品残量在庫管理発注システムが提案されている。
【０００５】
【特許文献１】特開平７−１３７８１３号公報
【特許文献２】特開２００５−１１２４９９号公報
【発明の開示】
【発明が解決しようとする課題】
【０００６】
ところで、ＩＣタグは、ＩＣチップと無線アンテナを樹脂やガラス等で封止してタグ（荷札）状に形成した超小型の通信端末で、ＩＣチップに所定の情報を記録して対象物にタグを取り付け、記録した情報を無線通信により読取装置（リーダ・ライタ）側でピックアップすることにより、ＩＣチップに記録された情報を認識、表示するものであるから、構造上、ＩＣタグから電磁波が発信される。このため、ＩＣタグを装着した電子部品を例えば、各種電機機器の筺体内に組み込んだり、他の電子部品と共にボックス内あるはコンテナなどに収納して搬送する場合などにおいてＩＣタグから発信される電磁波が他の電子部品に悪影響を与えたる虞れがあり、また、病院内などにおいてＩＣタグから発信される電磁波によって医療用機器が誤作動するなどの危険性を有している。このような電磁波により他の部品への影響を防止するにはＩＣタグをシールドケースに密閉して電磁波を遮蔽することが考えられるが、この場合、ＩＣタグに記憶された部品の個体情報を必要に応じて読み取れなくなってしまい、部品の流通管理が行えない、という課題を有している。
【０００７】
そこで、本発明は、必要に応じてＩＣタグの情報を読み取ることが可能であるとともに、読み取り後、ＩＣタグから発信される電磁波を遮蔽して電子部品への悪影響を防止することが可能なシールド機能を備えたＩＣタグを提供することを目的とする。
【課題を解決するための手段】
【０００８】
本発明の請求項１記載のシールド機能を備えたＩＣタグは、各種部品にそれぞれの個体情報などを記憶したＩＣタグを装着し、このＩＣタグに記憶された個体情報を読み取ることによって対象部品の流通管理を行うＩＣタグであって、このＩＣタグを収納する開閉可能なシールドケースを設け、ＩＣタグに記憶された情報を読み取る際に前記ＩＣタグを前記シールドケースの外側に露出させ、ＩＣタグの情報を読み取った後、シールドケースで前記ＩＣタグを覆って前記ＩＣタグから発信される電磁波を遮蔽するように構成したことを特徴とする。
【０００９】
請求項１の構成により、シールドケース内にＩＣタグを密閉した状態においては、ＩＣタグから発信された電磁波がシールドケースで遮蔽され、ＩＣタグを露出すると、読取手段によってＩＣタグに記憶された情報を読み取ることが可能となる。
【００１０】
本発明の請求項２記載のシールド機能を備えたＩＣタグは、前記ＩＣタグを装着した取付基板を前記シールドケースにスライド自在に配置するとともに、前記シールドケースの少なくとも一部に前記取付基板を出し入れする窓部を設け、この窓部を開閉する蓋部を前記取付基板に設けたことを特徴とする。
【００１１】
請求項２の構成により、シールドケースから取付基板を引き出すとＩＣタグが外部に露出してＩＣタグに記憶された情報を読み取ることが可能となり、シールドケース内にＩＣタグを収納した状態においては、蓋部がシールドケースの窓部を塞いでシールドケースが密閉され、ＩＣタグから発信された電磁波がシールドケースで遮蔽される。
【００１２】
本発明の請求項３記載のシールド機能を備えたＩＣタグは、前記取付基板とシールドケースの何れか一方に弾性変形可能な係止爪を、他方に前記係止爪と係脱可能な係止部を設けたことを特徴とする。
【００１３】
請求項３の構成により、係止爪と係止部との係合によって、シールドケース内に対して取付基板が位置決め保持される。
【００１４】
本発明の請求項４記載のシールド機能を備えたＩＣタグは、前記シールドケースから前記取付基板を引き出し、少なくともその取付基板に取り付けた前記ＩＣタグが前記シールドケースの外部に露出した状態で前記係止爪と係止部とを係合させて前記取付基板を位置決め保持するとともに、その係止爪と係止部との係合を解除して前記取付基板を前記シールドケースの内に収納した際、前記取付基板又はシールドケースの何れか一方に前記係止爪を弾性的に押接させることによって前記シールドケースに対して前記取付基板をロックしたことを特徴とする。
【００１５】
請求項４の構成により、シールドケースから取付基板を引き出すとＩＣタグが外部に露出してＩＣタグに記憶された情報を読み取ることが可能となるとともに、係止爪と係止部とが係合し、取付基板が抜け止め保持される。一方、シールドケース内に取付基板を収納する際、係止爪によって取付基板がシールドケースに保持され、取付基板の遊動が規制される。
【００１６】
本発明の請求項５記載のシールド機能を備えたＩＣタグは、少なくとも前記シールドケースが、このシールドケースの取付面に沿って変形可能な可撓性材料によって形成されることを特徴とする。
【００１７】
請求項５の構成により、シールドケースを対象部品に取り付ける際、取付面に沿ってシールドケースが弾性変形する。
【００１８】
本発明の請求項６記載のシールド機能を備えたＩＣタグは、前記シールドケースと前記取付基板とを付勢部材で連結し、前記シールドケースから引き出した前記取付基板を前記付勢部材で格納方向に付勢するように構成したことを特徴とする。
【００１９】
請求項６の構成により、シールドケースから外部に引き出した取付基板は付勢部材によって格納方向に付勢され、シールドケースの内部に収納される。
【００２０】
本発明の請求項７記載のシールド機能を備えたＩＣタグは、少なくとも前記シールドケースの一部に窓部を形成するとともに、この窓部を開閉する蓋部をヒンジ部を介して前記シールドケースに一体形成したことを特徴とする。
【００２１】
請求項７の構成により、ヒンジ部を介してシールドケースに連結された蓋部によって窓部の開閉が成される。
【００２２】
本発明の請求項８記載のシールド機能を備えたＩＣタグは、少なくとも前記シールドケースの一部に窓部を形成し、この窓部を開閉する蓋部をシールドケースにスライド自在に設けたことを特徴とする。
【００２３】
請求項８の構成により、シールドケースにスライド自在に設けた蓋部によって窓部の開閉が成される。
【００２４】
本発明の請求項９記載のシールド機能を備えたＩＣタグは、前記シールドケースが相互に接着及び剥離可能な一対のフィルム材によって構成されていることを特徴とする。
【００２５】
請求項９の構成により、フィルム材を剥がすことによってＩＣタグに記憶された情報を読み取ることが可能となり、一方、フィルム材を接着させることによってＩＣタグから発信される電磁波が一対のフィルム材で遮蔽される。
【発明の効果】
【００２６】
本発明の請求項１記載のシールド機能を備えたＩＣタグによれば、各種部品にそれぞれの個体情報などを記憶したＩＣタグを装着し、このＩＣタグに記憶された個体情報を読み取ることによって対象部品の流通管理を行うＩＣタグであって、このＩＣタグを収納する開閉可能なシールドケースを設け、ＩＣタグに記憶された情報を読み取る際に前記ＩＣタグを前記シールドケースの外側に露出させ、ＩＣタグの情報を読み取った後、シールドケースで前記ＩＣタグを覆って前記ＩＣタグから発信される電磁波を遮蔽するように構成したものであるから、ＩＣタグを露出させてＩＣタグに記憶した部品の情報を簡単に読み取ることができるとともに、ＩＣタグをシールドケース内に密閉すれば、シールドケースによってＩＣタグから発信される電磁波をシールドケースで遮蔽することができ、ＩＣタグから発信される電磁波によって管理対象となる電子部品や周囲の電子部品の誤作動や電磁波による悪影響を防止することができる。
【００２７】
本発明の請求項２記載のシールド機能を備えたＩＣタグによれば、前記ＩＣタグを装着した取付基板を前記シールドケースにスライド自在に配置するとともに、前記シールドケースの少なくとも一部に前記取付基板を出し入れする窓部を設け、この窓部を開閉する蓋部を前記取付基板に設けたものであるから、シールドケース内に取付基板を介してＩＣタグを収納した状態においては、シールドケースの窓部が蓋部によって塞がれ、ＩＣタグから発信された電磁波をシールドケースによって確実に遮蔽することができる。
【００２８】
本発明の請求項３記載のシールド機能を備えたＩＣタグによれば、前記取付基板とシールドケースの何れか一方に弾性変形可能な係止爪を、他方に前記係止爪と係脱可能な係止部を設けたものであるから、係止爪と係止部との係合によって、シールドケース内に対して取付基板を位置決め保持することができる。
【００２９】
本発明の請求項４記載のシールド機能を備えたＩＣタグによれば、前記シールドケースから前記取付基板を引き出し、少なくともその取付基板に取り付けた前記ＩＣタグが前記シールドケースの外部に露出した状態で前記係止爪と係止部とを係合させて前記取付基板を位置決め保持するとともに、その係止爪と係止部との係合を解除して前記取付基板を前記シールドケースの内に収納した際、前記取付基板又はシールドケースの何れか一方に前記係止爪を弾性的に押接させることによって前記シールドケースに対して前記取付基板をロックしたものであるから、係止爪と係止部との係合によって、取付基板を抜け止め保持することができるとともに、シールドケース内に取付基板を収納する際、係止爪によって取付基板がシールドケースに保持され、振動などによる取付基板の遊動を規制することができる。
【００３０】
本発明の請求項５記載のシールド機能を備えたＩＣタグによれば、少なくとも前記シールドケースが、このシールドケースの取付面に沿って変形可能な可撓性材料によって形成されるものでるから、ＩＣタグを取り付ける部品の取付面が連続する平坦面ではなく、曲面や屈曲点を有する傾斜面などであっても、取付面の形状に沿ってシールドケースが変形し、対象となる部品の形状による制約を受けることがなく、対象部品にシールドケースを取り付けることができ、汎用性に優れる。
【００３１】
本発明の請求項６記載のシールド機能を備えたＩＣタグによれば、前記シールドケースと前記取付基板とを付勢部材で連結し、前記シールドケースから引き出した前記取付基板を前記付勢部材で格納方向に付勢するように構成したものであるから、シールドケースから外部に引き出した取付基板を付勢部材によって格納方向に付勢することができ、簡単かつ迅速にＩＣタグの情報を読み取ることができ、操作性の向上にも付与できる。
【００３２】
本発明の請求項７記載のシールド機能を備えたＩＣタグによれば、少なくとも前記シールドケースの一部に窓部を形成するとともに、この窓部を開閉する蓋部をヒンジ部を介して前記シールドケースに一体形成したものであるから、組付部品点数の削減を図ることができる。
【００３３】
本発明の請求項８記載のシールド機能を備えたＩＣタグによれば、少なくとも前記シールドケースの一部に窓部を形成し、この窓部を開閉する蓋部をシールドケースにスライド自在に設けものであるから、蓋部をスライドするだけでシールドケースを開閉することができる。
【００３４】
本発明の請求項９記載のシールド機能を備えたＩＣタグによれば、前記シールドケースが相互に接着及び剥離可能な一対のフィルム材によって構成されているものであるから、一方のフィルム材を剥離してＩＣタグに記憶された情報を読み取ることができるとともに、双方のフィルム材を接着させることによってＩＣタグから発信された電磁波をフィルム材で確実に遮蔽することができる。
【発明を実施するための最良の形態】
【００３５】
以下、本発明の実施例について添付図面を参照して詳細に説明する。
【実施例１】
【００３６】
図１〜図３は本発明のシールド機能を備えたＩＣタグの実施例１を示しており、図１は電子機器に組み込まれた状態を示す斜視図、図２はシールドケースにＩＣタグを備えた部品を収納した状態を示す斜視図、図３はシールドケースから部品を引き出した状態を示す斜視図を示している。図１〜図３において、１は例えばコンピユータの電子機器２の構成部品として用いる電子部品、３は電子部品１の情報を記憶したＩＣタグ、４はＩＣタグ３を収納するシールドケースであり、前記電子部品１は前記電子機器２の筺体５内に組み込まれている。また、ＩＣタグ３は、このＩＣタグ３に記憶した情報を発信するアンテナ３Ａを備え、アンテナ３Ａから発信する電磁波をＩＣタグリーダで読み取ることによって、非接触でＩＣタグ３に記憶した情報を読み取りことができる。
【００３７】
前記シールドケース４は、硬質な合成樹脂などからなり、図２、図３に示すように、全体として箱形に成形しており、内面に形成するシールド層（図示しない）によって前記ＩＣタグ３から発信される電磁波を遮蔽する。また、シールドケース４内には前記ＩＣタグ３を取り付けるための取付基板６が収納されている。この取付基板６は、前記シールドケース４に沿ってスライド自在に組み込まれており、シールドケース４の一側面には、取付基板６を出し入れする窓部７が形成されている。また、前記取付基板６の一端には前記窓部７を開閉する蓋部８が形成され、取付基板７の他端は前記窓部７と対向するシールドケース４の内面に当接するストッパ部９が形成されている。
【００３８】
以上のように構成される本実施例においては、取付基板６にＩＣタグ３が取り付けられており、図２に示すように、シールドケース４内にＩＣタグ３を密閉した状態においては、ストッパ部９がシールドケース４の内面に当接して位置決めされ、ストッパ部９と反対側に設けた蓋部８がシールドケース４の窓部７を塞いでいる。このように、シールドケース４内にＩＣタグ３を格納した状態においては、ＩＣタグ３から発信された電磁波がシールドケース４のシールド層で遮蔽され、電子機器２の筺体５内に組み込まれる他の電子部品への悪影響を防止することができる。一方、図３に示すように、窓部７から蓋部８を引き出すことによって取付基板６に取り付けたＩＣタグ３がシールドケース４の外部に露出し、ＩＣタグ３のアンテナ３Ａから発信される電磁波をＩＣタグリーダ（図示しない）などで読み取ることによって、ＩＣタグ３に記憶した情報を簡単に読み取りことができる。したがって、本実施例においては、ＩＣタグ３に記憶した電子部品１の情報を読み取る際、ＩＣタグ３の取付基板６をシールドケース４から引き出してＩＣタグ３に記憶した電子部品１の情報を簡単に読み取ることができ、ＩＣタグ３の情報を読み取った後は、ＩＣタグ３をシールドケース４内に密閉してシールドケース４のシールド層によってＩＣタグ３から発信される電磁波をシールドケース４で遮蔽することができる。これにより、電子機器２の筺体５内に組み込まれた他の電子部品がＩＣタグ３から発信される電磁波によって誤作動を引き起こすといった悪影響を防止することができる。
【実施例２】
【００３９】
図４及び図５は本発明のシールド機能を備えたＩＣタグの実施例２を示しており、図４はシールドケースにＩＣタグを備えた部品を収納した状態を示す斜視図、図５はシールドケースから部品を引き出した状態を示す斜視図を示している。なお、本実施例では、前記実施例１とロック機構を備える点以外、共通しており、主に実施例１と異なるロック機構を説明し、実施例１と共通する部分は、同一符号を付し、異なる部分についてのみ説明する。
【００４０】
本実施例は、ＩＣタグ３の取付基板６に形成するストッパ部９に弾性変形可能な係止爪１０が形成され、シールドケース４には係止部として係止爪１０と係脱可能な形係止孔１１が形成されている。この係止爪１０と係止孔１１とは、図５で示すように、前記シールドケース４から取付基板６を引き出して取付基板６のＩＣタグ３が外部に露出した状態で係合する。この係止爪１０と係止孔１１との係合によって、前記シールドケース４に対して取付基板６が位置決めされ、シールドケース４からのＩＣタグ３の抜け出しを防止することができる。そして、ＩＣタグ３の情報を読み取った後、係止爪１０を押し込みながら取付基板６を内側にスライドすることによって、ストッパ部９がシールドケース４の内面に当接して位置決めされ、シールドケース４の窓部７は蓋部８によって塞がれる。
【００４１】
以上のように本実施例においては、ＩＣタグ３の情報を読み取る際、窓部７から蓋部８を引き出すことによって取付基板６に取り付けたＩＣタグ３が露出する。この時、ストッパ部９に形成した係止爪１０がシールドケース４に形成する係止孔１１と係合し、シールドケース４に対して取付基板６が位置決めされ、シールドケース４からのＩＣタグ３の抜け出しを防止することができる。さらに、ＩＣタグ３の情報を読み取った後、係止爪１０を押し込みながら取付基板６を内側にスライドすることによって、係止爪１０がシールドケース４の内面に弾性的に当接して取付基板６が位置決めされるから、例えば、輸送時や使用時において振動が加わる環境下などにおいて、シールドケース４に対してＩＣタグ３を取り付けた取付基板６を確実にロックすることができる。これにより、振動などに起因してシールドケース４から取付基板６が抜け出てＩＣタグ３の電磁波がシールドケース４の外部に洩れることなく、シールドケース４によってＩＣタグ３から発信される電磁波を確実に遮蔽することができる。
【実施例３】
【００４２】
図６〜図７は本発明の実施例３を示し、前記実施例と共通する部分には、同一符号を付し、異なる部分についてのみ説明する。
【００４３】
前記実施例１、２においては、シールドケース４を硬質材料によって成形した例を示したが、本実施例においては、シールドケース１４を軟質合成樹脂や合成ゴムなど、可撓性を有する材料によって形成し、ＩＣタグ３を取り付ける取付基板１５も可撓性を有する材料によって形成する。そして、シールドケース１４に電磁波遮蔽シールド（図示しない）を絶縁ビニールコーティングなどによって被覆処理してＩＣタグ３から発信される電磁波を遮蔽する。また、本実施例では、前記実施例１と同様、取付基板１５にシールドケース１４の窓部７を開閉する蓋部８とストッパ９とを形成し、そのストッパ９に紐体１６を連結している。この紐体１６の自由端部側は、シールドケース１４の外部に引き出されており、紐体１６を引っ張ってシールドケース１４から引き出した取付基板１５とシールドケース１４内に引き戻す。また、シールドケース１４内に取付基板１５とＩＣタグ３を密閉した状態においては、シールドケース１４の外部に位置する余った紐体１６の端部を蓋部８の外面側に連結している。
【００４４】
以上のように、本実施例においては、前記実施例１と同様、シールドケース１４から取付基板１５を引き抜いてＩＣタグ３を外部に露出させることによって、ＩＣタグ３の情報を読み取ることができるとともに、ＩＣタグ３の情報を読み取った後、紐体１６を引っ張ってシールドケース４の窓部７を取付基板１５に形成する蓋部８で塞ぐことによってＩＣタグ３から発信される電磁波をシールドケース１４によって遮蔽することができる。また、本実施例においては、シールドケース１４とＩＣタグ３を取り付ける取付基板１５とが可撓性を有する柔軟材料によって成形されているから、ＩＣタグ３を取り付ける部品の取付面１Ａが連続する平坦面ではなく、曲面や屈曲点を有する傾斜面などであっても、電子部品１０の形状に沿って変形可能であるから、電子部品１０の形状による制約を受けることがないため、汎用性にも優れるものである。
【実施例４】
【００４５】
図８〜図９は本発明の実施例４を示し、前記各実施例と共通部分は、同一符号を付し、異なる部分についてのみ説明する。
【００４６】
本実施例においては、全体として筒状のシールドケース２０を形成し、そのシールドケース２０の内壁にそってスライドする円盤状の取付基板２１をシールドケース２０内に組み込む。この取付基板２１には、外側に突出する操作摘み２２を形成し、この操作摘み２２をシールドケース２０に形成するガイド溝からシールドケース２０の外側に突出させて配置する。また、シールドケース２０と取付基板２１とが付勢手段たるバネ２４で連結され、シールドケース２０内にＩＣタグ３を格納する際、取付基板２１がバネ２４によって格納方向に付勢されている。
【００４７】
以上のように、本実施例においては、シールドケース２０から突出する操作摘み２２を持ってバネ２４に抗してシールドケース２０から取付基板２１を引き出しことによって、ＩＣタグ３を外部に露出する。これにより前記各実施例と同様、ＩＣタグ３に記憶された情報を読み取ることができる。また、ＩＣタグ３の情報を読み取った後、取付基板２１がバネ２４によって引き戻され、シールドケース２０内にＩＣタグ３が格納される。したがって、前記各実施例と同様、ＩＣタグ３の情報を読み取る際、必要に応じてＩＣタグ３をシールドケース２０から露出させ、ＩＣタグ３の情報を読み取った後、ＩＣタグ３をシールドケース２０内に格納することによって、ＩＣタグ３から発信される電磁波をシールドケース２０によって遮蔽することができる。しかも、本実施例においては、シールドケース２０と取付基板２１とをバネ２４で連結し、このバネ２４によってＩＣタグ３の取付基板２１が格納方向に付勢されているから、操作性にも優れるものである。
【００４８】
以上、本発明の実施例について詳述したが、本発明は前記各実施例に限定されるものではなく、本発明に要旨の範囲内で種々の変形実施が可能である。例えば、図１１に示す本発明の実施例５のように、シールドケース３０の一側面を開口してこれを窓部３１とし、この窓部３１を塞ぐ蓋体３２を肉薄なヒンジ部３３を介して一体形成し、蓋体３２を開いてＩＣタグ３の情報を読み取るとともに、ＩＣタグ３の情報を読み取った後、蓋体３１を閉じてシールドケース３０を密閉するように構成してもよい。また、図１２に示す本発明の実施例６のように、シールドケース４０の一側面を開口してこれを窓部４１とし、この窓部４１を開閉する蓋部４２をシールドケース４０にスライド自在に設けた構造、あるいは図１３に示す本発明の実施例７のように、シールドケース５０を、相互に接着及び剥離可能な一対のフィルム材５１，５２によって構成し、フィルム材５１，５２の一方を剥がしてＩＣタグ３の情報を読み取り、ＩＣタグ３の情報を読み取った後、フィルム材５１，５２を接着してＩＣタグ３をフィルム材５１，５２で密閉するように構成してもよく、要はＩＣタグ３の情報を読み取る際、ＩＣタグ３を露出させ、ＩＣタグ３の情報を読み取った後、シールドケースでＩＣタグ３を密閉できる構造であればよい。また、ＩＣタグ３を装着する対象としてコンピュータなどに組み込まれる電子部品を例として説明したが、ＩＣタグ３を装着する対象は電子部品に限定されるものではなく、各種の部品に広く適用可能である。
【図面の簡単な説明】
【００４９】
【図１】本発明の実施例１を示す電子機器に組み込まれた状態を示す斜視図である。
【図２】同上、シールドケースにＩＣタグを備えた部品を収納した状態を示す斜視図である。
【図３】同上、シールドケースから部品を引き出した状態を示す斜視図である。
【図４】本発明の実施例２を示すシールドケースにＩＣタグを備えた部品を収納した状態を示す斜視図である。
【図５】同上、シールドケースから部品を引き出した状態を示す斜視図である。
【図６】本発明の実施例３を示すシールドケースの斜視図である。
【図７】同上、ＩＣタグを格納及び引き出した状態を示す模式的に表した斜視図である。
【図８】本発明の実施例４を示す斜視図である。
【図９】同上、ＩＣタグを格納及び引き出した状態を示す模式的に表した斜視図である。
【図１０】本発明の実施例５を示す斜視図である。
【図１１】本発明の実施例６を示す斜視図である。
【図１２】本発明の実施例７を示す斜視図である。
【符号の説明】
【００５０】
１  電子部品
２  電子機器
３  ＩＣタグ
４，１４，２０，３０，４０，５０  シールドケース
５  筺体
６，１５，２１  取付基板
７，３１，４１  窓部
８，３２，４２  蓋部
９  ストッパ
１０  係止爪
１１  係止孔
３３  ヒンジ部
５１，５２  フィルム材
【図１】
2009140182.tif 000003
【図２】
2009140182.tif 000004
【図３】
2009140182.tif 000005
【図４】
2009140182.tif 000006
【図５】
2009140182.tif 000007
【図６】
2009140182.tif 000008
【図７】
2009140182.tif 000009
【図８】
2009140182.tif 000010
【図９】
2009140182.tif 000011
【図１０】
2009140182.tif 000012
【図１１】
2009140182.tif 000013
【図１２】
2009140182.tif 000014